(57)【特許請求の範囲】
【請求項１】
縦向きプレートの上部に、足場構造体のブレースピンに対する吊下げ孔を設け、この縦向きプレートの一面側下部に幅木の嵌め込み保持部を設け、前記縦向きプレートの他面側に足場構造体の縦パイプに対する取付け部材を設け、
上記幅木の嵌め込み保持部は、縦向きプレートの下端から水平に突出する底板と、この底板の先端から立ち上がる前板とで、上面と端部が開放した溝形に形成され、この嵌め込み保持部の底板と前板の下部に、足場構造体に架設した布板のフックとの干渉を逃がすための切り欠き部を設けた幅木取付け用金具。
【請求項２】
上記縦向きプレートに、この縦向きプレートの幅方向中央部の位置から上縁よりも上方に延びる帯板が設けられ、この帯板の上端部にブレースピンに対する吊下げ孔が形成されている請求項１に記載の幅木取付け用金具。
【請求項３】
縦向きプレートの一面側下部に幅木の嵌め込み保持部を設け、前記縦向きプレートの他面側に足場構造体の縦パイプに対して固定する取付け部材を設け、
上記幅木の嵌め込み保持部は、縦向きプレートの下端から水平に突出する底板と、この底板の先端から立ち上がる前板とで、上面と端部が開放した溝形に形成され、この嵌め込み保持部の底板と前板の下部に、足場構造体に架設した布板のフックとの干渉を逃がすための切り欠き部を設けた幅木取付け用金具。
【請求項４】
上記縦向きプレートの他面側に、足場構造体の縦パイプに沿わせることによって、この縦向きプレートに、その下部が前記縦パイプから離反する方向の傾斜角度を持たせる傾斜付与部を設け、前記傾斜付与部の縦向きプレートと反対側の面に、前記縦パイプへの取付け部材を設けた請求項１乃至３の何れかに記載の幅木取付け用金具。
【発明の詳細な説明】
【技術分野】
【０００１】
この発明は、枠組み足場や単管足場等の仮設足場において、幅木を足場構造体の縦柱に取り付けることによって、作業床を形成する布板の側部や端部に対して前記幅木を起立状となるよう固定配置するための幅木取付け用金具に関する。
【背景技術】
【０００２】
建築や土木の工事の仮設足場として、枠組み足場や単管足場が知られているが、これら仮設足場からの墜落事故の防止措置として、各階の作業床を形成する布板の上面で側部や端部に、幅木を起立状に固定配置することが義務付けられている。
【０００３】
従来、作業床を形成する布板の側部や端部に幅木を起立状に固定配置するために提案されている幅木取付け用金具は、金具本体と、この金具本体の背面側に設けられた弾性変形可能な一対の帯状挟持部材と、前記金具本体の両側に設けた幅木差込部材とからなり、足場構造体の縦柱に帯状挟持部材を外嵌して挟み込むことにより取付け、布板上に載せた幅木差込部材に幅木の端部を嵌め込むことにより、幅木を起立状に固定配置する構造になっている。
【０００４】
また、別の幅木取付け用金具として、金具本体の背面側に足場構造体の縦柱を両側から外嵌抱持する部材を設け、前記金具本体の両側に設けた幅木差込部材の下部を足場構造体の横桟上に載置するようにした構造になっている（例えば、特許文献１参照）。
【先行技術文献】
【特許文献】
【０００５】
【特許文献１】特開２００７−１３２０９９号公報
【発明の概要】
【発明が解決しようとする課題】
【０００６】
ところで、前者の幅木取付け用金具は、一対の帯状挟持部材で縦柱に取付けるため、縦柱に対する固定強度が低く安全の面から不安があると共に、幅木差込部材を布板上に載置する構造では、実際の使用において、横桟間に架設した布板の端部フックと干渉することになり、安定した固定状態が得られないという問題がある。
【０００７】
また、後者の幅木取付け用金具は、足場構造体の横桟上に幅木差込部材を載置するものであるが、足場構造体の前記幅木取付け用金具を取付ける部分は、横桟の上部にブレースピンがあり、ブレースピンに筋交いを結合すると共に、横桟上に布板を架設することで、構造的に幅木取付け用金具を収めにくい条件及び環境にあり、このため、取付け作業が行いにくいだけでなく、布板が片方に寄って架設されていると、布板のフックが邪魔になり、取付けができないという問題がある。
【０００８】
そこで、この発明の課題は、足場構造体に対する取付けの作業性と固定強度に優れ、布板の端部フックと干渉することなく安定した固定状態が得られる幅木取付け用金具を提供することにある。
【課題を解決するための手段】
【０００９】
上記のような課題を解決するため、この発明は、縦向きプレートの上部に、足場構造体のブレースピンに対する吊下げ孔を設け、この縦向きプレートの一面側下部に幅木の嵌め込み保持部を設け、前記縦向きプレートの他面側に足場構造体の縦パイプに対する取付け部材を設け、前記幅木の嵌め込み保持部は、縦向きプレートの下端から水平に突出する底板と、この底板の先端から立ち上がる前板とで、上面と端部が開放した溝形に形成され、この嵌め込み保持部の底板と前板の下部に、足場構造体に架設した布板のフックとの干渉を逃がすための切り欠き部を設けたものである。
この構成において、上記縦向きプレートに、この縦向きプレートの幅方向中央部の位置から上縁よりも上方に延びる帯板が設けられ、この帯板の上端部にブレースピンに対する吊下げ孔が形成されているようにすることができる。
また、この発明は、縦向きプレートの一面側下部に幅木の嵌め込み保持部を設け、前記縦向きプレートの他面側に足場構造体の縦パイプに対して固定する取付け部材を設け、前記幅木の嵌め込み保持部は、縦向きプレートの下端から水平に突出する底板と、この底板の先端から立ち上がる前板とで、上面と端部が開放した溝形に形成され、この嵌め込み保持部の底板と前板の下部に、足場構造体に架設した布板のフックとの干渉を逃がすための切り欠き部を設けたものである。
以上の各構成の発明において、縦向きプレートの上部に足場構造体のブレースピンに対する吊下げ孔を設け、この縦向きプレートの一面側に、幅木の端部に設けた横孔を挿通することによって取付ける係止ピンを突設し、前記縦向きプレートの他面側に足場構造体の縦パイプに対する取付け部材を設けたものとすることができる。
【００１０】
ここで、上記足場構造体は、枠組足場と単管足場の何れでもよく、また、幅木取付け用金具の縦向きプレートは、布板を架設する横桟や腕木と、その上部に位置するブレースピンの間に納まる高さ寸法の大きさの矩形状に形成され、幅木の嵌め込み保持部は、縦向きプレートを形成する金属板から一体に折り曲げ形成されている。
【００１１】
上記幅木は、枠組足場の縦パイプのスパンに見合う長さと１０ｃｍ以上の高さを有し、その両端を嵌め込み保持部に落とし込むか、端部に設けた横孔を縦向きプレートの係止ピンに挿通することによって起立状に配置する。
【発明の効果】
【００１２】
この発明によると、足場構造体のブレースピンに縦向きプレートを吊下げ、この縦向きプレートの一面側下部に幅木の嵌め込み保持部と他面側に足場構造体の縦パイプに対する取付け部材を設けたので、足場構造体の縦パイプに対してブレースピンに吊下げることで取付け位置が正確に決まり、取付け部材が縦パイプに対して嵌合することで横振れの発生がなく、足場構造体への取付け状態が安定よく強固になり、ブレースピンに吊下げるだけであるので、取付け及び取外し作業が簡単に能率よく行える。
【００１３】
また、縦向きプレートの上方に延びる帯板に吊下げ孔を形成したので、帯板によって縦向きプレートの高さ寸法を極力低く設定でき、縦向きプレートを形成する材料の削減によって小型化と軽量化を図り、材料コストの削減が図れる。
【００１４】
さらに、足場構造体の縦パイプに縦向きプレートを、縦パイプに対して固定する取付け部材で固定するようにしたので、足場構造体への取付け状態が安定よく強固になり、取付け及び取外し作業が簡単に能率よく行える。
【００１５】
上記幅木の嵌め込み保持部は、縦向きプレートの下端から水平に突出する底板と、この底板の先端から立ち上がる前板とで、上面と端部が開放した溝形に形成され、その溝形に形成された嵌め込み保持部の底板と前板の下部に、足場構造体に架設した布板のフックとの干渉を逃がすための切り欠き部を設けたので、布板が建物と反対側に片寄って架設されていても、切り欠き部がフックを逃がすことで、支持した幅木の下縁を布板の上面レベルに合わせた配置が可能になり、幅木による墜落防止の目的を確実に達成することができる。
【００１６】
また、足場構造体のブレースピンに縦向きプレートを吊下げ、この縦向きプレートの一面側に突設した係止ピンに幅木を取付けるようにしたので、足場構造体の縦パイプに対してブレースピンに吊下げることで取付け位置が正確に決まり、取付け部材が縦パイプに対して嵌合することで横振れの発生がなく、足場構造体への取付け状態が安定よく強固になり、ブレースピンに吊下げるだけであるので、取付け及び取外し作業が簡単に能率よく行える。
【００１７】
さらに、足場構造体の縦パイプに対して、縦向きプレートを傾斜状に取付けることができるようにしたので、枠組足場の縦パイプと布板の間隔が広い場合、この間隔を傾斜状の配置によって幅木で確実に塞ぐことができ、縦パイプと布板の間隔が広くても安全性の向上が図れることになる。
【図面の簡単な説明】
【００１８】
【図１】この発明に係る第１の実施の形態の幅木取付け用金具を示す仮設足場への使用状態の斜視図
【図２】（ａ）は第１の実施の形態の幅木取付け用金具を示す斜視図、（ｂ）はこの幅木取付け用金具の仮設足場への使用状態を示す横断平面図
【図３】第１の実施の形態の幅木取付け用金具を示す仮設足場への使用状態の縦断面図
【図４】（ａ）は第２の実施の形態の幅木取付け用金具を示す斜視図、（ｂ）はこの幅木取付け用金具の仮設足場への使用状態を示す横断平面図
【図５】第２の実施の形態の幅木取付け用金具を示す仮設足場への使用状態の縦断面図
【図６】第３の実施の形態の幅木取付け用金具を示す仮設足場への使用状態の一部切欠き正面図
【図７】（ａ）は第３の実施の形態の幅木取付け用金具を示す斜視図、（ｂ）はこの幅木取付け用金具の仮設足場への使用状態を示す横断平面図
【図８】第３の実施の形態の幅木取付け用金具を示す仮設足場への使用状態の縦断面図
【図９】第４の実施の形態の幅木取付け用金具を示す仮設足場への使用状態の斜視図
【図１０】第４の実施の形態の幅木取付け用金具を示す仮設足場への使用状態の横断平面図
【図１１】（ａ）は第５の実施の形態の幅木取付け用金具を示す斜視図、（ｂ）はこの幅木取付け用金具の仮設足場への使用状態を示す横断平面図
【図１２】第５の実施の形態の幅木取付け用金具を示す仮設足場への使用状態の縦断面図
【図１３】（ａ）は第６の実施の形態における第１の例の幅木取付け用金具を示す斜視図、（ｂ）はこの幅木取付け用金具の仮設足場への使用状態を示す横断平面図
【図１４】第６の実施の形態における第１の例の幅木取付け用金具を示す仮設足場への使用状態の縦断面図
【図１５】（ａ）は第６の実施の形態における第２の例の幅木取付け用金具を示す斜視図、（ｂ）はこの幅木取付け用金具の仮設足場への使用状態を示す横断平面図
【図１６】第７の実施の形態の幅木取付け用金具を示す使用状態の斜視図
【図１７】（ａ）は第７の実施の形態の幅木取付け用金具を示す縦断正面図、（ｂ）は同縦断側面図
【図１８】（ａ）は第７の実施の形態の幅木取付け用金具において、取付け部材の異なった例を示す斜視図、（ｂ）はこの幅木取付け用金具の使用状態を示す縦断側面図
【図１９】（ａ）は第７の実施の形態の幅木取付け用金具において、取付け部材の更に異なった例を示す斜視図、（ｂ）はこの幅木取付け用金具の使用状態を示す縦断側面図
【図２０】各実施の形態で示した幅木取付け用金具の使用箇所を示す作業床の平面図
【発明を実施するための形態】
【００１９】
以下、この発明の実施の形態を添付画面に基づいて説明する。
【００２０】
図１乃至図３は、第１の実施の形態の幅木取付け用金具１を示し、金属板を用いた矩形状の縦向きプレート２が金具本体となり、この縦向きプレート２の幅方向中央部の上縁位置に上方に延びる帯板３を設け、この帯板３の上端部に、足場構造体Ａの縦柱ａに設けたブレースピンｂに対する吊下げ孔４を形成し、前記縦向きプレート２の一面側下部に幅木Ｂの嵌め込み保持部５を設け、前記プレート２の他面側に足場構造体Ａの縦柱ａに対する取付け部材６を設けた構造になっている。
【００２１】
上記縦向きプレート２は、布板Ｃを架設する横桟ｄや腕木と、その上部に位置するブレースピンｂの間に納まる高さ寸法を有し、幅木Ｂの嵌め込み保持部５は、縦向きプレート２の下端から水平に突出する底板５ａと、この底板５ａの先端から立ち上がる前板５ｂとで、上面と端部が開放した溝形に形成され、この嵌め込み保持部５の底板５ａと前板５ｂの下部に、足場構造体Ａに架設した布板Ｃのフックｅとの干渉を逃がすための切り欠き部７が設けられている。
【００２２】
また、上記取付け部材６は、足場構造体Ａの縦柱ａに外側から外嵌圧入する上下に長い断面コ字状に形成され、縦向きプレート２の他面側の外面に垂直状態で溶接されている。
【００２３】
図示の場合、吊下げ用の帯板３は、取付け部材６の上端から延長状に突出させ、上下二箇所の位置に吊下げ孔４を形成し、足場構造体Ａを構成する建枠の種類の変化に対応できるようにし、また、幅木Ｂの嵌め込み保持部５は、中間に仕切り壁８が設けられているが、前記帯板３を省き、縦向きプレート２を上下に長くしてその上部に吊下げ孔４を直接設けた構造を採用してもよい。
【００２４】
なお、足場構造体Ａは、図１の場合、建枠Ａ１を用いた枠組足場を示し、周知のように、建枠Ａ１は両側縦柱ａの対向面における上下にブレースピンｂが突設され、所定の間隔で対向するように立設した建枠Ａ１を、ブレースピンｂに端部を連結した筋交いＡ２で結合すると共に、対向する建枠Ａ１の横桟ｄ間に布板Ｃを両端のフックｅで引掛けて架設し、作業床を形成するようになっている。
【００２５】
また、上記幅木Ｂは、枠組足場Ａの縦柱ａのスパンに見合う長さと１００ｍｍから２００ｍｍ程度の高さを有する木製であり、その両端を隣接する幅木取付け用金具１の嵌め込み保持部５に落とし込むことによって、布板Ｃの側縁上部に起立状となるよう配置する。
【００２６】
第１の実施の形態の幅木取付け用金具１は、上記のような構成であり、図１のように組立てた足場構造体Ａに対して、架設した布板Ｃの上面で側縁の位置に幅木Ｂを取付けるには、各建枠Ａ１の下部の位置にあるブレースピンｂに帯板３の吊下げ孔４を挿入すると共に、取付け部材６を建枠Ａ１の縦柱ａに嵌め込むことにより、幅木取付け用金具１を建枠Ａ１に取付ける。
【００２７】
上記幅木取付け用金具１は、ブレースピンｂに抜け止め状態で吊下げられた取付けとなり、嵌め込み保持部５の切り欠き部７が建枠Ａ１における横桟ｄの直上に位置し、取付け部材６が建枠Ａ１の縦柱ａに外嵌しているので、横揺れが生じないよう位置が決まり、この状態で幅木Ｂの両端を隣接する幅木取付け用金具１の嵌め込み保持部５に上から落とし込むようにして嵌め込めば、幅木Ｂは起立状態に保持される。
【００２８】
上記幅木Ｂは、両端が幅木取付け用金具１の嵌め込み保持部５で保持されることにより、図１と図３で示すように、布板Ｃの上面で側縁部に起立状に配置され、作業員が布板Ｃ上から足を滑らせて墜落する事故を未然に防止することになる。
【００２９】
なお、幅木取付け用金具１は、ブレースピンｂに取下げるだけであるので、取付け及び取外し作業が簡単に能率よく行え、ブレースピンｂを基準として取付け位置が決まり、布板Ｃに対する配置位置が一定化すると共に、建枠Ａ１の縦柱ａに外嵌する取付け部材６が横揺れを防ぐことで、幅木Ｂの必要な配置強度を確保できることになる。
【００３０】
次に、図４と図５は、第２の実施の形態の幅木取付け用金具１を示している。なお、上述した第１の実施の形態の幅木取付け用金具と同一部分には同一符号を付して説明に代える。以降の実施の形態においても同様である。
【００３１】
この、第２の実施の形態の幅木取付け用金具１は、基本的に第１の実施の形態と同じであるが、縦向きプレート２に対して帯板３と取付け部材６をボルト、ナット９を用いて固定すると共に、この帯板３を蝶番１０によって折り畳み可能とし、幅木取付け用金具１の全体を嵩低くすることで格納や持ち運びに便利なようにしている。
【００３２】
図６乃至図８に示す第３の実施の形態の幅木取付け用金具１は、縦向きプレート２の幅方向中央部位置の上縁に上方に延びる帯板３を設け、この帯板３の上端部に、足場構造体Ａの縦柱ａに設けたブレースピンｂに対する吊下げ孔４を形成し、前記縦向きプレート２の一面側で両側の上下位置に、ブレースピンｂと同様の係止ピン１１を合計四本突設し、前記縦向きプレート２の他面側に足場構造体Ａの縦柱ａに対する取付け部材６を設けた構造になっている。
【００３３】
この第３の実施の形態の幅木取付け用金具１も、帯板３に設けた吊下げ孔４をブレースピンｂに挿入すると共に、取付け部材６を縦柱ａに嵌め込むことにより建枠Ａ１に取付ける。
【００３４】
幅木Ｂは、両端部の上下位置に予め横孔１２が設けてあり、隣接する幅木取付け用金具１に設けた係止ピン１１に端部の横孔１２を挿通することにより、隣接する幅木取付け用金具１間に取付け、布板Ｃの側縁で上面部に起立状に配置することで、作業員が布板Ｃ上から足を滑らせて墜落する事故を未然に防止することになる。
【００３５】
この幅木Ｂは、木製でもよいが、図８ではアルミや鋼板を用いた金属幅木を示していると共に、上記取付け部材６は、図７のように、両側対向壁の開口間隔を狭く設定し、金属の弾性を利用して縦柱ａへ弾力的に外嵌し、横振れの発生を防ぐようにしている。
【００３６】
図９と図１０は、作業床の端部コーナで幅木Ｂの端部を処理するために用いる第４の実施の形態の幅木取付け用金具１であり、基本構造は第３の実施の形態と同じであるが、縦向きプレート２を平面的に直角に折り曲げ、内面側の両端部における上下に係止ピン１１を設け、外面側の一面に帯板３と取付け部材６を設けた構造になっている。
【００３７】
この第４の実施の形態の幅木取付け用金具１は、上述した第３の実施の形態と同じように、作業床の端部に位置する建枠Ａ１の縦柱ａに取付け、幅木Ｂの端部横孔１２を対応する係止ピン１１に挿入することにより、布板Ｃの側縁で上面部に起立状に配置する。
【００３８】
図１０のように、この第４の実施の形態の幅木取付け用金具１では、作業床の端部に位置する建枠Ａ１の建物側の縦柱ａにも取付け、この建枠Ａ１の両幅木取付け用金具１間に、建枠Ａ１の幅に見合う長さの幅木Ｂ１を取付ければ、作業床の端部にも幅木Ｂ１を配置することができる。
【００３９】
図１１と図１２に示す第５の実施の形態の幅木取付け用金具１は、クランプ金具１３を用いて縦柱ａに取付けるようにしたものであり、矩形状の金属板を用いた縦向きプレート２の一面側下部に幅木Ｂの嵌め込み保持部５を設け、前記縦向きプレート２の他面側に取付け部材であるクランプ金具１３を固定した構造になっている。なお、図示省略したが、縦向きプレート２の他面側に第１乃至４の実施の形態と同様の外嵌式の取付け部材６を設けることもできる。
【００４０】
上記クランプ金具１３は、枢軸１４で結合した一対のクランプ単体１３ａと１３ｂをボルトとナット１５で締め付けることにより、足場構造体Ａの縦柱ａに対して固定するように形成され、縦向きプレート２の外面で幅方向の中央で上部の位置にボルト１６で固定されている。
【００４１】
この第５の実施の形態の幅木取付け用金具１は、足場構造体Ａが単管足場の場合に用い、各縦柱ａに対して、作業床よりも高い位置にクランプ金具１３を固定することによって取付け、隣接する幅木取付け用金具１の嵌め込み保持部５に幅木Ｂの端部を嵌め込むことにより、布板Ｃの側縁で上面部に起立状に配置する。
【００４２】
上記のように、幅木取付け用金具１をクランプ金具１３で単管足場の縦柱ａに固定するようにすると、幅木Ｂの上下配置位置を自由に調整することができると共に、移動のないように強固に固定することができ、取付け取外しもボルト、ナット１５を操作するだけであるので簡単である。
【００４３】
図１３乃至図１５は、作業床の端部コーナで幅木の端部を処理するために用いる第６の実施の形態の幅木取付け用金具１であり、基本構造は第５の実施の形態と同じであるが、図１３と図１４の第１の例では、縦向きプレート２に設けた嵌め込み保持部５を片側半分とし、その外面に直角の配置で別の嵌め込み保持部５ｃを固定した構造になっている。
【００４４】
この別の嵌め込み保持部５ｃは、断面上向きコ字形に形成され、幅木Ｂの端部を上部から嵌め込む溝形に形成されている。
【００４５】
また、図１５（ａ）と（ｂ）に示す第２の例では、縦向きプレート２のクランプ金具１３を固定した面で一端側の位置に、延長板１７を設け、この延長板１７の端部に、縦向きプレート２の嵌め込み保持部５と平面的に反対側へ直角の配置となる嵌め込み保持部５ｃを設けた構造になっている。
【００４６】
これら第６の実施の形態の幅木取付け用金具１は、作業床の端部に位置する縦柱ａに取付け、各嵌め込み保持部５、５１で幅木Ｂ、Ｂ１の端部を支持するようにすれば、布板Ｃの長さ方向に沿う幅木Ｂと、作業床の端部幅方向の幅木Ｂ１とを支持することができることになる。
【００４７】
図１６乃至図１９に示す第７の実施の形態は、枠組足場の縦柱ａと布板Ｃの間隔が広い場合に、この間隔を幅木Ｂの傾斜状の配置によって確実に塞ぐことができるようにした幅木取付け用金具１であり、基本構造は上述した第５の実施の形態と同じであるが、縦向きプレート２の一面側下部に幅木Ｂの嵌め込み保持部５を設け、前記縦向きプレート２の他面側に、足場構造体の縦柱ａに沿わせることによって、この縦向きプレート２に、その下部が前記縦柱ａから離反する方向の傾斜角度を持たせる傾斜付与部１８を設け、この傾斜付与部１８の上面に、嵌め込み保持部５へ嵌め込んだ幅木Ｂが上方に外れるのを防ぐ鉤形の外れ防止金具１９がボルト２０で着脱できるように取付けられ、前記傾斜付与部１８の縦向きプレート２と反対側の面に、前記縦柱ａへの取付け部材６を設けた構造になっている。
【００４８】
図示の場合、上記傾斜付与部１８は、縦向きプレート２の上端延長を他面側へ直角に折り曲げた上板１８ａと、この上板１８ａの端部から下向きに折り曲げた背板１８ｂとで形成され、前記上板１８ａに対する縦向きプレート２の折り曲げ角度を鈍角にすることで、背板１８ｂの垂直に対して縦向きプレート２に所定の傾斜角度を持たせたものである。
【００４９】
この傾斜付与部１８は、断面コ字形のような部材を縦向きプレート２の他面側に溶接で固定して形成するようにしてもよい。
【００５０】
上記傾斜付与部１８に固定する縦柱ａへの取付け部材６は、図１６と図１７の例では、縦柱ａに外側から外嵌圧入する上下に長い断面コ字状に形成されたものを用い、図１８（ａ）と（ｂ）の例では、背板１８ｂに固定した鋼管クランプ１３を用い、図１９（ａ）と（ｂ）の例では、縦柱ａへ横から外嵌する略半円形の係止フック２１を水平状態で上下に逆配置となるよう背板１８ｂに固定した構造を採用している。
【００５１】
取付け部材６が上記のような係止フック２１の場合、先ず、幅木取付け用金具１を斜めにして一方の係止フック２１を縦柱ａへ横から外嵌係止し、次に、幅木取付け用金具１を水平に戻すように回動させ、他方の係止フック２１を縦柱ａへ外嵌係止するようにすればよい。
【００５２】
ちなみに、幅木Ｂが高さ１８０ｍｍ、厚み２５ｍｍの場合、縦向きプレート２の高さは１８０〜１９０ｍｍ程度、幅は２００ｍｍとし、嵌め込み保持部５は幅木Ｂの板厚が嵌まり込むコ字形となり、その前板５ｂは高さが１００ｍｍに設定され、傾斜付与部１８の上端部における厚み寸法は３５ｍｍに設定されている。
【００５３】
このように、第７の実施の形態の幅木取付け用金具１は、枠組足場の縦柱ａと布板Ｃの間隔が広い場合に使用し、取付け部材６で縦柱ａに取付けた幅木取付け用金具１の嵌め込み保持部５に幅木Ｂを嵌め込んで配置すれば、幅木Ｂは下部が布板Ｃに接近する傾斜状の配置となり、縦柱ａと布板Ｃの間隔を幅木Ｂによって確実に塞ぐことができる。
【００５４】
なお、何れの実施の形態の幅木取付け用金具１も、嵌め込み保持部５に嵌め込んだ幅木Ｂは、工事の施工中に邪魔になった場合、その取り外しが簡単に行え、また、復旧もすばやくできるので、作業性の向上が図れることになる。
【００５５】
図２０は、上記した各実施の形態の幅木取付け用金具１の使用箇所を、作業床のコーナ屈曲部分を含む状態で平面的に示し、作業床の出隅や入隅での幅木Ｂ、Ｂ１の支持が支障なく行えることになる。
【符号の説明】
【００５６】
１          幅木取付け用金具
２          縦向きプレート
３          帯板
４          吊下げ孔
５          嵌め込み保持部
６          取付け部材
７          切り欠き部
８          仕切り壁
９          ボルト、ナット
１０        蝶番
１１        係止ピン
１２        横孔
１３        クランプ金具
１４        枢軸
１５        ボルトとナット
１６        ボルト
１７        延長板
１８        傾斜付与部
１９        外れ防止金具
２０        ボルト
２１        係止フック
Ａ          足場構造体
Ａ１        建枠
Ａ２        筋交い
Ｂ          幅木
Ｃ          布板
ａ          縦柱
ｂ          ブレースピン
ｄ          横桟
ｅ          フック
【図１】
0005561687.tif 000002
【図２】
0005561687.tif 000003
【図３】
0005561687.tif 000004
【図４】
0005561687.tif 000005
【図５】
0005561687.tif 000006
【図６】
0005561687.tif 000007
【図７】
0005561687.tif 000008
【図８】
0005561687.tif 000009
【図９】
0005561687.tif 000010
【図１０】
0005561687.tif 000011
【図１１】
0005561687.tif 000012
【図１２】
0005561687.tif 000013
【図１３】
0005561687.tif 000014
【図１４】
0005561687.tif 000015
【図１５】
0005561687.tif 000016
【図１６】
0005561687.tif 000017
【図１７】
0005561687.tif 000018
【図１８】
0005561687.tif 000019
【図１９】
0005561687.tif 000020
【図２０】
0005561687.tif 000021